(57)【要約】【課題】  コンテンツタイトルが多機能機で表示され、コンテンツがＰＣで表示されるシステムを提供すること。【解決手段】  多機能機１０は、各コンテンツのコンテンツタイトル文字列を表示する。ユーザは、１つのコンテンツタイトル文字列を選択することができる。多機能機１０は、通信準備指示をＰＣ７０に送信する。ＰＣ７０は、通信準備指示が受信されると、ブラウザ７６ａを起動する。ブラウザ７６ａは、ＪａｖａＳｃｒｉｐｔ命令８６に従って、リクエストを多機能機１０に送信する。多機能機１０は、ユーザによって選択されたコンテンツタイトル文字列に対応するコンテンツＵＲＬを含むコンテンツ追加指示を、リクエストのレスポンスとして、ＰＣ７０に送信する。ＰＣ７０は、コンテンツＵＲＬからコンテンツをダウンロードして表示することができる。【選択図】  図１
2010128783.tif 000002
【特許請求の範囲】
【請求項１】
通信装置と、
その通信装置に通信可能に接続されるとともに、ブラウザによってコンテンツを表示することが可能である情報表示装置と
を備えるコンテンツ表示システムであり、
前記通信装置は、
各コンテンツの位置情報と各コンテンツのタイトルとを少なくとも含むコンテンツ要約情報の位置情報を記憶する位置情報記憶手段と、
前記位置情報記憶手段に記憶されている前記位置情報から前記コンテンツ要約情報を取得する要約情報取得手段と、
前記要約情報取得手段によって取得された前記コンテンツ要約情報に含まれる各コンテンツのタイトルを表示するタイトル表示手段と、
前記タイトル表示手段に表示された各コンテンツのタイトルから第１タイトルをユーザが選択することを許容するタイトル選択許容手段と、
前記タイトル選択許容手段において選択された前記第１タイトルに対応する第１コンテンツの第１位置情報を前記コンテンツ要約情報から特定する位置情報特定手段と、
前記位置情報特定手段によって特定された前記第１位置情報に対応する前記第１コンテンツを表示するための指示を前記情報表示装置に送信する指示送信手段とを有し、
前記情報表示装置は、
前記通信装置から送信された前記指示を受信する指示受信手段と、
前記指示受信手段によって前記指示が受信された場合に、前記指示が受信される前に前記通信装置から送信された他の指示に従って起動された前記ブラウザが終了していることを条件として、前記ブラウザを起動するブラウザ起動手段とを有する
ことを特徴とするコンテンツ表示システム。
【請求項２】
前記情報表示装置は、前記ブラウザ起動手段によって起動された前記ブラウザが実行する命令を記憶する命令記憶手段をさらに有し、
前記ブラウザ起動手段は、前記指示受信手段によって前記指示が受信された場合に、前記命令記憶手段に記憶されている前記命令を実行するために起動された前記ブラウザが終了していることを条件として、前記ブラウザを起動する
ことを特徴とする請求項１に記載のコンテンツ表示システム。
【請求項３】
前記指示送信手段によって送信される前記指示は、第１指示と第２指示を含んでおり、
前記ブラウザ起動手段は、前記指示受信手段によって前記第１指示が受信された場合に前記ブラウザを起動し、
前記命令記憶手段は、前記ブラウザ起動手段によって前記ブラウザが起動された場合に、予め決められているリクエストを前記通信装置に送信することを前記ブラウザに指示する第１命令を記憶しており、
前記通信装置は、前記情報表示装置から送信された前記リクエストを受信するリクエスト受信手段をさらに有し、
前記指示送信手段は、前記リクエスト受信手段によって前記リクエストが受信された場合に、前記位置情報特定手段によって特定された前記第１位置情報を含む前記第２指示を前記情報表示装置に送信し、
前記ブラウザ起動手段は、前記指示受信手段によって前記第１位置情報を含む前記第２指示が受信された場合に前記ブラウザを起動しない
ことを特徴とする請求項２に記載のコンテンツ表示システム。
【請求項４】
前記命令記憶手段は、前記指示受信手段によって前記第２指示が受信された場合に前記リクエストを前記通信装置に再送信することを前記ブラウザに指示する第２命令をさらに記憶しており、
前記通信装置は、前記リクエスト受信手段によって前記リクエストが再受信された場合に、前記リクエストを保留するリクエスト保留手段をさらに有し、
前記位置情報特定手段は、前記タイトル選択許容手段において選択された第２タイトルに対応する第２コンテンツの第２位置情報を前記コンテンツ要約情報から特定し、
前記指示送信手段は、前記リクエスト保留手段によって保留されている前記リクエストに対するレスポンスとして、前記位置情報特定手段によって特定された前記第２位置情報を含む前記第２指示を前記情報表示装置に送信し、
前記ブラウザ起動手段は、前記指示受信手段によって前記第２位置情報を含む前記第２指示が受信された場合に前記ブラウザを起動しない
ことを特徴とする請求項３に記載のコンテンツ表示システム。
【請求項５】
前記命令記憶手段は、
前記指示受信手段によって前記第２指示が受信された場合に、当該第２指示に含まれる位置情報に関連する関連情報を累積して表示することを前記ブラウザに指示する第３命令と、
表示されている複数の関連情報の中から１つの関連情報がユーザによって選択されたことを条件として、当該関連情報に対応するコンテンツを表示することを前記ブラウザに指示する第４命令と
をさらに記憶している
ことを特徴とする請求項３又は４に記載のコンテンツ表示システム。
【請求項６】
前記第３命令は、前記指示受信手段によって前記第２指示が受信された場合に、当該第２指示に含まれる位置情報に関連する関連情報が表示されているのか否かを判断することを前記ブラウザに指示するとともに、否定的な判断結果が得られたことを条件として、当該第２指示に含まれる位置情報に関連する関連情報を表示することを前記ブラウザに指示する
ことを特徴とする請求項５に記載のコンテンツ表示システム。
【請求項７】
以下の各手段、即ち、
各コンテンツの位置情報と各コンテンツのタイトルとを少なくとも含むコンテンツ要約情報の位置情報を記憶する位置情報記憶手段と、
前記位置情報記憶手段に記憶されている前記位置情報から前記コンテンツ要約情報を取得する要約情報取得手段と、
前記要約情報取得手段によって取得された前記コンテンツ要約情報に含まれる各コンテンツのタイトルを表示するタイトル表示手段と、
前記タイトル表示手段に表示された各コンテンツのタイトルから第１タイトルをユーザが選択することを許容するタイトル選択許容手段と、
前記タイトル選択許容手段において選択された前記第１タイトルに対応する第１コンテンツの第１位置情報を前記コンテンツ要約情報から特定する位置情報特定手段と、
前記位置情報特定手段によって特定された前記第１位置情報に対応する前記第１コンテンツを表示するための指示を前記情報表示装置に送信する指示送信手段と
を備える通信装置に通信可能に接続されるとともに、ブラウザによってコンテンツを表示することが可能である情報表示装置に搭載されるコンピュータに、
前記通信装置から送信された前記指示を受信する指示受信処理と、
前記指示受信処理で前記指示が受信された場合に、前記指示が受信される前に前記通信装置から送信された他の指示に従って起動された前記ブラウザが終了していることを条件として、前記ブラウザを起動するブラウザ起動処理と
を実行させるコンピュータプログラム。
【発明の詳細な説明】
【技術分野】
【０００１】
本発明は、ネットワーク上で公開されているコンテンツを表示するためのシステムに関する。
【背景技術】
【０００２】
様々なコンテンツがネットワーク上で公開されている。各コンテンツのＵＲＬと各コンテンツのタイトルとを含むコンテンツ要約情報を公開しているサーバが存在する。コンテンツ要約情報の一例として、例えば、フィード情報（Ｆｅｅｄ）を挙げることができる。フィード情報のフォーマットとしては、例えば、ＲＳＳやＡｔｏｍが存在する。下記の非特許文献１には、フィード情報を取得して各コンテンツのタイトルを表示するためのソフトウェアが開示されている。このソフトウェアをＰＣにインストールすると、ユーザは、各コンテンツのタイトルを見ることができる。ユーザがタイトルをクリックすると、ＰＣは、ブラウザを起動し、そのタイトルに対応するコンテンツのＵＲＬにアクセスする。これにより、ＰＣにおいてコンテンツが表示される。
【０００３】
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の開示】
【発明が解決しようとする課題】
【０００４】
コンテンツ要約情報は、コンテンツが要約化された情報（タイトル等）であるために、比較的に小さい表示装置でも問題なく見ることができる。しかしながら、コンテンツは、多くの文字列を含んでいることがある。また、コンテンツは、画像データを含んでいることもある。コンテンツを比較的に小さい表示装置で表示すると、コンテンツの全体を見るためには、ユーザは、画面を何度もスクロールさせる必要がある。操作が煩わしく、しかも、情報が見づらい。本明細書では、このような不便性を解消することができる技術を提供する。
【課題を解決するための手段】
【０００５】
本明細書で開示される一つの技術は、通信装置と、その通信装置に通信可能に接続されるとともに、ブラウザによってコンテンツを表示することが可能である情報表示装置とを備えるコンテンツ表示システムである。上記の「通信装置」は、情報表示装置に通信可能に接続されるあらゆるデバイスを含む概念である。通信装置の一例として、プリンタ、スキャナ、多機能機、携帯端末（携帯電話、ＰＤＡ等）等を挙げることができる。また、上記の「情報表示装置」という用語は、情報を表示することができるあらゆるデバイスを含む概念である。情報表示装置の一例として、ＰＣ、テレビ等を挙げることができる。
【０００６】
通信装置は、位置情報記憶手段と要約情報取得手段とタイトル表示手段とタイトル選択許容手段と位置情報特定手段と指示送信手段とを有する。位置情報記憶手段は、各コンテンツの位置情報と各コンテンツのタイトルとを少なくとも含むコンテンツ要約情報の位置情報を記憶する。上記の「位置情報」という用語は、コンテンツの位置を特定することができるあらゆる情報を含む概念である。位置情報の一例として、例えば、ＵＲＬ（Ｕｎｉｆｏｒｍ  Ｒｅｓｏｕｒｃｅ  Ｌｏｃａｔｏｒ）等を挙げることができる。要約情報取得手段は、位置情報記憶手段に記憶されている位置情報からコンテンツ要約情報を取得する。タイトル表示手段は、要約情報取得手段によって取得されたコンテンツ要約情報に含まれる各コンテンツのタイトルを表示する。タイトル選択許容手段は、タイトル表示手段に表示された各コンテンツのタイトルから第１タイトルをユーザが選択することを許容する。位置情報特定手段は、タイトル選択許容手段において選択された第１タイトルに対応する第１コンテンツの第１位置情報をコンテンツ要約情報から特定する。指示送信手段は、位置情報特定手段によって特定された第１位置情報に対応する第１コンテンツを表示するための指示を情報表示装置に送信する。
【０００７】
情報表示装置は、指示受信手段とブラウザ起動手段とを有する。指示受信手段は、通信装置から送信された上記の指示を受信する。ブラウザ起動手段は、指示受信手段によって上記の指示が受信された場合に、上記の指示が受信される前に通信装置から送信された他の指示に従って起動されたブラウザが終了していることを条件として、ブラウザを起動する。なお、上記の「条件として」という用語は、他の条件（ＡＮＤ条件及び／又はＯＲ条件）が付加されるのを排除するものではない。「条件として」という用語を使用した場合、他の条件が付加されてもよい。以下でも、「条件として」という用語を使用する場合は同様である。
【０００８】
上記のシステムによると、通信装置が有する表示手段ではコンテンツの全体を見づらい場合、通信装置から情報表示装置に第１コンテンツを表示するための指示を送信することができる。情報表示装置は、上記の指示が受信された場合に、ブラウザを起動することができる。ブラウザによって第１コンテンツを表示することができる。ユーザは、情報表示装置が有する表示手段において第１コンテンツの全体を見ることができる。
【０００９】
例えば、通信装置において複数のタイトルがユーザによって順に選択された場合、各タイトルに対応する各コンテンツを表示するための指示が複数回に亘って情報表示装置に順に送信されることになる。通信装置からの指示を情報表示装置が受信する毎にブラウザが起動される構成を採用すると、情報表示装置において複数のウィンドウが開かれることになり、ユーザが情報（例えばコンテンツ）を見づらくなる。このような問題が発生しないように、情報表示装置のブラウザ起動手段は、指示受信手段によって上記の指示が受信された場合に、上記の指示が受信される前に通信装置から送信された他の指示に従って起動されたブラウザが終了していることを条件として、ブラウザを起動する。即ち、通信装置からの指示に従ってブラウザが起動している間に他の指示が受信されても、ブラウザが新たに起動されない。通信装置からの指示を情報表示装置が受信する毎にブラウザが起動されることがなく、通信装置からの複数の指示に従って複数のウィンドウが同時に開かれることがない。ユーザが情報を見やすい。
【００１０】
なお、通信装置は、コンテンツの位置情報からコンテンツを取得して表示することが可能であってもよいし、可能でなくてもよい。後者の場合、通信装置は、ブラウザを備えていなくてもよい。この場合、通信装置の構成を簡単化することができる。
【００１１】
なお、上記のシステムをより具体的に表現すると、以下のように記載することができる。情報表示装置は、ブラウザ起動手段によって起動されたブラウザが実行する命令を記憶する命令記憶手段をさらに有していてもよい。なお、上記の命令は、情報表示装置に予め記憶されていてもよい。一方において、上記の命令は、通信装置から情報表示装置に送信されてもよい。この場合、情報表示装置の命令記憶手段は、通信装置から送信された命令を記憶してもよい。ブラウザ起動手段は、指示受信手段によって上記の指示が受信された場合に、命令記憶手段に記憶されている上記の命令を実行するために起動されたブラウザが終了していることを条件として、ブラウザを起動してもよい。
【００１２】
指示送信手段によって送信される上記の指示は、第１指示と第２指示を含んでいてもよい。ブラウザ起動手段は、指示受信手段によって第１指示が受信された場合にブラウザを起動してもよい。命令記憶手段は、ブラウザ起動手段によってブラウザが起動された場合に、予め決められているリクエストを通信装置に送信することをブラウザに指示する第１命令を記憶していてもよい。通信装置は、情報表示装置から送信されたリクエストを受信するリクエスト受信手段をさらに有していてもよい。指示送信手段は、リクエスト受信手段によってリクエストが受信された場合に、位置情報特定手段によって特定された第１位置情報を含む第２指示を情報表示装置に送信してもよい。ブラウザ起動手段は、指示受信手段によって第１位置情報を含む第２指示が受信された場合にブラウザを起動しなくてもよい。この構成によると、ブラウザ起動手段によって起動されたブラウザが終了していない間に第２指示が受信されても、ブラウザが新たに起動されない。通信装置からの複数の指示に従って複数のウィンドウが同時に開かれることがない。
【００１３】
命令記憶手段は、指示受信手段によって第２指示が受信された場合にリクエストを通信装置に再送信することをブラウザに指示する第２命令をさらに記憶していてもよい。通信装置は、リクエスト受信手段によってリクエストが再受信された場合に、リクエストを保留するリクエスト保留手段をさらに有していてもよい。位置情報特定手段は、タイトル選択許容手段において選択された第２タイトルに対応する第２コンテンツの第２位置情報をコンテンツ要約情報から特定してもよい。指示送信手段は、リクエスト保留手段によって保留されているリクエストに対するレスポンスとして、位置情報特定手段によって特定された第２位置情報を含む第２指示を情報表示装置に送信してもよい。ブラウザ起動手段は、指示受信手段によって第２位置情報を含む第２指示が受信された場合にブラウザを起動しなくてもよい。この構成によると、ブラウザ起動手段によって起動されたブラウザが終了していない間に第２指示が受信されても、ブラウザが新たに起動されない。通信装置からの複数の指示に従って複数のウィンドウが同時に開かれることがない。
【００１４】
命令記憶手段は、第３命令と第４命令をさらに記憶していてもよい。第３命令は、指示受信手段によって第２指示が受信された場合に、当該第２指示に含まれる位置情報に関連する関連情報を累積して表示することをブラウザに指示するものであってもよい。なお、上記の「関連情報」は、第２指示に含まれる位置情報そのものであってもよいし、その位置情報に対応するコンテンツのタイトル、サマリー等であってもよい。第４命令は、表示されている複数の関連情報の中から１つの関連情報がユーザによって選択されたことを条件として、当該関連情報に対応するコンテンツを表示することをブラウザに指示してもよい。この構成によると、例えば、通信装置においてユーザによって複数のタイトルが選択された場合に、情報表示装置は、それらの複数のタイトルに対応する複数の関連情報を表示する。ユーザは、表示されている複数の関連情報の中から所望の関連情報を選択することによって、所望のコンテンツを見ることができる。
【００１５】
第３命令は、指示受信手段によって第２指示が受信された場合に、当該第２指示に含まれる位置情報に関連する関連情報が表示されているのか否かを判断することをブラウザに指示するとともに、否定的な判断結果が得られたことを条件として、当該第２指示に含まれる位置情報に関連する関連情報を表示することをブラウザに指示してもよい。この構成によると、既に表示されている関連情報を含む第２指示が受信された場合（肯定的な判断結果が得られた場合）には、その関連情報を累積して表示することがブラウザに指示されない。複数の同じ関連情報が同時に表示されることを防止することができる。
【００１６】
上記の情報表示装置を実現するためのコンピュータプログラムも有用である。このコンピュータプログラムは、情報表示装置に搭載されるコンピュータに、以下の各処理、即ち、（１）通信装置から送信された指示を受信する指示受信処理と、（２）指示受信処理で上記の指示が受信された場合に、上記の指示が受信される前に通信装置から送信された他の指示に従って起動されたブラウザが終了していることを条件として、ブラウザを起動するブラウザ起動処理とを実行させる。
【発明を実施するための最良の形態】
【００１７】
ここでは、以下の実施例に記載の技術の特徴の一部をまとめておく。
（形態１）コンテンツのことを「サイト内の複数の情報のうちの１つの情報」と言い換えてもよい。上記の複数の情報のそれぞれは、１つのＵＲＬに対応している。従って、コンテンツのことを「サイト内の１つのＵＲＬに対応している情報」と言い換えることもできる。また、コンテンツ要約情報のことを「フィード情報」と言い換えてもよい。
（形態２）コンテンツのタイトルは、当該コンテンツの全体の文字列よりも少ない文字列であって、コンテンツの内容を反映している文字列であってもよい。
（形態３）通信装置が有する表示手段より情報表示装置が有する表示手段が大きくてもよい。
【００１８】
（形態４）通信装置は、タイトル選択許容手段においてユーザによってタイトルが選択され、かつ、ユーザによって第１操作が実行された場合に、当該タイトルに対応するコンテンツを表示するための指示を情報表示装置に送信してもよい。
（形態５）通信装置は、タイトル選択許容手段においてユーザによってタイトルが選択され、かつ、ユーザによって第２操作が実行された場合に、当該タイトルに対応する関連情報を削除するための指示を情報表示装置に送信してもよい。
（形態６）通信装置は、ユーザによって第３操作が実行された場合に、全ての関連情報をクリアするための指示を情報表示装置に送信してもよい。
【００１９】
（形態７）次の通信装置も有用である。即ち、この通信装置は、ブラウザによってコンテンツを表示することが可能である情報表示装置に通信可能に接続される。この通信装置は、上記の位置情報記憶手段と要約情報取得手段とタイトル表示手段とタイトル選択許容手段と位置情報特定手段と指示送信手段とを有する。
（形態８）通信装置は、処理を実行することをブラウザに指示する命令を情報表示装置に送信してもよい。情報表示装置は、通信装置からの第１指示が受信されるとブラウザを起動してもよい。第１指示に従って起動されたブラウザは、通信装置からの第２指示が受信されると、上記の命令に従ってブラウザが処理を実行してもよい。上記の命令は、上記の第１命令、及び／又は、上記の第２命令、及び／又は、上記の第３命令、及び／又は、上記の第４命令を含んでいてもよい。
【００２０】
（形態９）
情報表示装置は、通信装置からの指示に従ってブラウザを起動する第１ブラウザ起動手段と、ユーザによって実行された所定の操作に従ってブラウザを起動する第２ブラウザ起動手段とを備えていてもよい。第１ブラウザ起動手段は、指示受信手段によって上記の指示が受信された場合に、第１ブラウザ起動手段によって起動されたブラウザが終了していることを条件として、ブラウザを起動してもよい。即ち、第１ブラウザ起動手段は、指示受信手段によって上記の指示が受信された場合に、第１ブラウザ起動手段によって起動されたブラウザが終了していれば、第２ブラウザ起動手段によって起動されたブラウザが終了していなくても、ブラウザを起動してもよい。
【実施例】
【００２１】
（第１実施例）
図面を参照して実施例を説明する。図１は、本実施例の多機能機システム２の概略図を示す。多機能機システム２は、多機能機１０とＰＣ７０と複数のコンテンツ提供サーバ９０，９１とを備える。なお、図１では、１つの多機能機１０と１つのＰＣ７０と２つのコンテンツ提供サーバ９０，９１しか示されていないが、これらの数は適宜変更することができる。多機能機１０は、ＬＡＮ回線４に接続されている。ＰＣ７０は、ＬＡＮ回線４に接続されている。ＬＡＮ回線４は、ルータ６を介してインターネット８に接続されている。各コンテンツ提供サーバ９０，９１は、インターネット８に接続されている。本実施例では、コンテンツ提供サーバ９０が１つのサイトを公開しており、コンテンツ提供サーバ９１が１つのサイトを公開している。各サイトは、複数のコンテンツを含んでいる。さらに、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２２】
（ＰＣの構成）
図１は、ＰＣ７０の構成を示す。ＰＣ７０は、ＣＰＵ７２とハードディスク７４と表示部８２と操作部８４等を有する。なお、図１には示されていないが。ＰＣ７０は、ＬＡＮ回線４に接続されているネットワークインターフェイスも有している。
【００２３】
ＣＰＵ７２は、ハードディスク７４に記憶されているプログラム７６，７８に従って様々な処理を実行する。ＣＰＵ７２が実行する処理については、後で詳しく説明する。ハードディスク７４は、様々なプログラム７６，７８を記憶している。基本プログラム７６は、ＰＣ７０の基本的な動作を制御するためのプログラムである。基本プログラム７６は、例えば、インターネット８のサイトからコンテンツをダウンロードして表示するためのブラウザ７６ａを含んでいる。ユーザは、例えば、操作部８４に所定の操作を加えることによって、ブラウザ７６ａを起動させることができる。ユーザが操作部８４を操作することに起因してブラウザ７６ａを起動させるプログラムは、後述するブラウザ起動ソフト７８ではなく、基本プログラム７６に含まれている。ブラウザ起動ソフト７８は、多機能機１０からの指示に従ってブラウザ７６ａを起動するためのプログラムである。ブラウザ起動ソフト７８は、例えば、コンピュータ読取可能媒体からＰＣ７０にインストールされる。また、ブラウザ起動ソフト７８は、例えば、インターネット８のサイトからダウンロードされてＰＣ７０にインストールされてもよい。
【００２４】
ハードディスク７４は、記憶領域８０を有する。記憶領域８０は、ＪａｖａＳｃｒｉｐｔ命令８６を記憶している。ブラウザ起動ソフト７８によって起動されたブラウザ７６ａは、ＪａｖａＳｃｒｉｐｔ命令８６に従って処理を実行する。ＪａｖａＳｃｒｉｐｔ命令８６は、ＪａｖａＳｃｒｉｐｔ（登録商標）で記述された様々な命令８６ａ〜８６ｅを含んでいる。起動時リクエスト送信命令８６ａは、ブラウザ起動ソフト７８によってブラウザ７６ａが起動された際に多機能機１０にリクエストを送信することをブラウザ７６ａに指示する命令である。リクエスト再送信命令８６ｂは、多機能機１０に送信されたリクエストに対するレスポンスが受信された場合に、多機能機１０にリクエストを再送信することをブラウザ７６ａに指示する命令である。リスト表示命令８６ｃは、後述するリスト表示領域２０２（図１６参照）にリスト２０４を表示したり、リスト２０４にコンテンツタイトルを追加したりすることをブラウザ７６ａに指示する命令である。コンテンツ表示命令８６ｄは、後述するコンテンツ表示領域２０６（図１６参照）にコンテンツを表示することをブラウザ７６ａに指示する命令である。その他の命令８６ｅは、例えば、リスト２０４からコンテンツタイトルを削除したり、多機能機１０からの指示に従ってリスト２０４をクリアしたりすることをブラウザ７６ａに指示する命令である。ＪａｖａＳｃｒｉｐｔ命令８６に従ってブラウザ７６ａが実行する処理については、後で詳しく説明する。なお、ＪａｖａＳｃｒｉｐｔ命令８６は、例えば、コンピュータ読取可能媒体からＰＣ７０にインストールされる。また、ＪａｖａＳｃｒｉｐｔ命令８６は、例えば、インターネット８のサイトからダウンロードされてＰＣ７０にインストールされてもよい。
【００２５】
表示部８２は、様々な情報を表示することができる。表示部８２は、比較的に大きい表示画面を有する。表示部８２は、多機能機１０が有する表示パネル５０（図２参照）より大きい表示画面を有する。操作部８４は、キーボードやマウスによって構成される。ユーザは、操作部８４を操作することによって、様々な指示や情報をＰＣ７０に入力することができる。
【００２６】
（多機能機の構成）
図２は、多機能機１０の構成を示す。多機能機１０は、制御部１２と表示パネル５０とキーパッド５２と印刷部５４とスキャン部５６とＦＡＸ部５８とネットワークインターフェイス６０とＰＳＴＮインターフェイス６２等を有する。制御部１２は、ＣＰＵ１４とＲＯＭ１６とＲＡＭ３０とＮＶＲＡＭ４０等を有する。
【００２７】
ＣＰＵ１４は、ＲＯＭ１６に記憶されているプログラム１８〜２６に従って様々な処理を実行する。ＣＰＵ１４が実行する処理については、後で詳しく説明する。ＲＯＭ１６は、様々なプログラム１８〜２６を記憶している。基本機能プログラム１８は、多機能機１０の基本的な動作を制御するためのプログラムである。基本機能プログラム１８は、例えば、表示パネル５０に表示される表示データを生成するためのプログラムを含んでいる。また、基本機能プログラム１８は、例えば、印刷部５４、スキャン部５６、ＦＡＸ部５８等を制御するためのプログラムを含んでいる。インターネット接続プログラム２０は、インターネット８に接続するためのプログラムである。フィード情報解析プログラム２２は、コンテンツ提供サーバ９０，９２から取得されるフィード情報を解析し、表示パネル５０で表示するための情報（以下では表示情報と呼ぶ）を作成するためのプログラムである。フィード情報表示プログラム２４は、表示情報を表示するためのプログラムである。プログラム２６は、上記のプログラム１８〜２４以外のプログラムである。なお、図２では、プログラム２６がＪａｖａＳｃｒｉｐｔ命令８６を含んでいるように示されているが、この構成は、後述する第２実施例において利用される。
【００２８】
ＲＡＭ３０は、様々な記憶領域３２〜３６を有する。基本機能ワーク領域３２は、基本機能プログラム１８に従って処理が実行される過程で生成される各種データを記憶するための記憶領域である。フィード情報解析ワーク領域３４は、フィード情報解析プログラム２２に従って処理が実行される過程で作成される各種データを記憶するための記憶領域である。表示情報記憶領域３６は、フィード情報解析プログラム２２に従って作成される表示情報を記憶するための記憶領域である。
【００２９】
ＮＶＲＡＭ４０は、様々な記憶領域４２〜４６を有する。基本機能パラメータ記憶領域４２は、ＣＰＵ１４が基本機能プログラム１８に従って処理を実行する際に利用される各種パラメータ（例えば印刷設定、スキャン設定等）を記憶するための記憶領域である。ＵＲＬ記憶領域４４は、各コンテンツ提供サーバ９０，９１が有するフィード情報のＵＲＬを記憶するための記憶領域である。例えば、ユーザは、各コンテンツ提供サーバ９０，９１からのコンテンツ提供サービスを受けるための登録を行なう必要がある。この登録は、多機能機１０を利用して実行されてもよいし、ＰＣ７０を利用して実行されてもよい。例えば、ユーザがＰＣ７０を利用してコンテンツ提供サーバ９０からのコンテンツ提供サービスを受けるための登録を行なった場合、コンテンツ提供サーバ９０のフィード情報のＵＲＬがＰＣ７０から多機能機１０に送信される。これにより、ＵＲＬ記憶領域４４にコンテンツ提供サーバ９０のフィード情報のＵＲＬが記憶される。デフォルトＰＣ情報記憶領域４６は、ＰＣ７０のＩＰアドレスやホスト名等のＰＣを識別するための情報を記憶している。ユーザは、所望のＰＣ（本実施例ではＰＣ７０）のＩＰアドレスを多機能機１０に入力することができる。デフォルトＰＣ情報記憶領域４６は、ユーザによって入力されたＩＰアドレスやホスト名を記憶する。
【００３０】
表示パネル５０は、様々な情報を表示することができる。表示パネル５０の表示画面は、ＰＣ７０が有する表示画面より小さい。表示パネル５０は、タッチパネルとして機能する。キーパッド５２は、複数のキーによって構成される。ユーザは、キーパッド５２を操作することによって様々な指示や情報を多機能機１０に入力することができる。印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。多機能機１０は、ＰＣ７０と通信可能であるとともに、インターネット８にアクセス可能である。ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。
【００３１】
（ＵＲＬ記憶領域の記憶内容）
続いて、ＮＶＲＡＭ４０のＵＲＬ記憶領域４４（図２参照）の記憶内容について説明する。図３は、ＵＲＬ記憶領域４４の記憶内容の一例を示す。ＵＲＬ記憶領域４４は、各コンテンツ提供サーバ９０，９１のフィード情報のＵＲＬ１０２を記憶することが可能である。換言すると、ＵＲＬ記憶領域４４は、各サイトのフィード情報のＵＲＬ１０２を記憶することが可能である。図３の例では、ｎ個のＵＲＬ１０２が記憶されている。各ＵＲＬ１０２には、識別番号１００が付与されている。本実施例では、識別番号１００を符号「ｉ」で表現する。
【００３２】
（表示情報記憶領域の記憶内容）
続いて、ＲＡＭ３０の表示情報記憶領域３６（図２参照）の記憶内容について説明する。図４は、表示情報記憶領域３６の記憶内容の一例を示す。表示情報記憶領域３６は、ＵＲＬ記憶領域４４に記憶されているＵＲＬ毎に表示情報１１２を記憶することが可能である。換言すると、表示情報記憶領域３６は、ＵＲＬ記憶領域４４に記憶されているサイト毎に表示情報１１２を記憶することが可能である。上述したように、ＵＲＬ記憶領域４４にはｎ個（ｎは１以上の整数）のＵＲＬ１０２が記憶されている（図３参照）。このために、表示情報記憶領域３６にもｎ個の表示情報１１２が記憶されている。各表示情報１１２には、識別番号１１０が付与されている。本実施例では、識別番号１１０を符号「ｉ」で表現する。
【００３３】
個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。サイトのタイトルのことを「サイトの名称」と言い換えることもできる。フィード更新日時情報１２４は、コンテンツ提供サーバにおいてフィード情報が更新された日時（最新の更新日時）に関する情報である。
【００３４】
表示情報１１２は、更新コンテンツ情報１３２を含んでいる。更新コンテンツ情報１３２の数は、サイトが有するコンテンツの数に等しい。例えば、図４では、「ｉ＝０」に対応する表示情報１１２は、ｍ個（ｍは１以上の整数）の更新コンテンツ情報１３２を有する。これは、「ｉ＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施例では、識別番号１３０を符号「ｊ」で表現する。
【００３５】
各更新コンテンツ情報１３２は、コンテンツタイトル文字列１４０とコンテンツ更新日時情報１４２とコンテンツ要約文字列１４４とコンテンツＵＲＬ１４６を含んでいる。上記の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。コンテンツタイトル文字列１４０は、コンテンツのタイトルの文字列である。コンテンツのタイトルのことを「コンテンツの名称」と言い換えることもできる。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。
【００３６】
（多機能機が実行するフィード情報解析処理）
続いて、多機能機１０が実行する処理について説明する。まず、多機能機１０のＣＰＵ１４がフィード情報を取得して解析するためのフィード情報解析処理について説明する。フィード情報解析処理は、独立したタスクとして動作し、インターネット接続プログラム２０とフィード情報解析プログラム２２（図２参照）に従って多機能機１０の起動時から実行される。図５は、フィード情報解析処理のフローチャートを示す。
【００３７】
ＣＰＵ１４は、更新時刻に到達するまで待機する（Ｓ４０）。更新時刻は、例えば、ユーザによって設定されてもよいし、プログラムによって決められていてもよい。更新時刻に到達するとＳ４２に進む。Ｓ４２では、ＣＰＵ１４は、ＮＶＲＡＭ４０のＵＲＬ記憶領域４４（図２参照）に記憶されているＵＲＬ数（サイト数）を取得する（Ｓ４２）。図３に示されるように、本実施例では、ＵＲＬ記憶領域４４にｎ個のＵＲＬが記憶されている。このために、ＣＰＵ１４は、Ｓ４２において「ｎ」を取得する。次いで、ＣＰＵ１４は、カウンタｉを初期化する（Ｓ４４）。ＣＰＵ１４は、カウンタｉがｎより小さいのか否かを判断する（Ｓ４６）。ここでＹＥＳの場合、Ｓ４８に進む。
【００３８】
Ｓ４８では、ＣＰＵ１４は、ＵＲＬ記憶領域４４からｉ番目のサイトのＵＲＬを取得する。例えば、ゼロ番目のサイトのＵＲＬを取得する場合、図３の例では、「ｈｔｔｐ：／／ｗｗｗ．ｅｘａｍｐｌｅ０．ｃｏｍ」が取得される。次いで、ＣＰＵ１４は、インターネット接続プログラム２０に従って、Ｓ４８で取得されたＵＲＬにアクセスし、フィード情報を取得する（Ｓ５０）。フィード情報は、図４に示されるサイト情報１２０や更新コンテンツ情報１３２を含んでいる。ＣＰＵ１４は、フィード情報を解析することによって、図４に示される表示情報１１２を作成する（Ｓ５２）。ＣＰＵ１４は、Ｓ５２で作成された表示情報１１２を表示情報記憶領域３６に記憶させる（Ｓ５４）。例えば、ゼロ番目のサイトの表示情報１１２が作成された場合、ＣＰＵ１４は、番号「ｉ＝０」に対応づけられている古い表示情報１１２をクリアし、番号「ｉ＝０」に対応づけて新しい表示情報１１２を記憶させる。続いて、ＣＰＵ１４は、カウンタｉに１を加算し（Ｓ５６）、Ｓ４６に戻る。図５の処理を実行することにより、表示情報記憶領域３６に各サイトの最新のフィード情報が記憶される。
【００３９】
（多機能機が実行する表示処理）
続いて、多機能機１０のＣＰＵ１４がフィード情報を表示するための表示処理について説明する。表示処理は、独立したタスクとして動作し、フィード情報表示プログラム２４（図２参照）に従って多機能機１０の起動時から実行される。図６は、表示処理のフローチャートを示す。
【００４０】
多機能機１０は、省電力状態、待機状態、機能実行状態等の複数の状態を有する。省電力状態では、表示パネル５０に何も表示されない（表示パネル５０が消灯している）。省電力状態の間に省電力状態を解除するための操作がキーパッド５２に加えられると、待機状態に移行する。待機状態では、表示パネル５０に機能を選択するための情報が表示される（表示パネル５０が点灯している）。図１２に示される最も上の図は、機能を選択するためのボタン１６０が表示されている表示パネル５０の一例を示す。ユーザは、ボタン１６０を操作することによって機能実行指示を多機能機１０に入力することができる。この場合、機能実行状態に移行する。機能実行状態では、表示パネル５０に実行中の機能に関する情報（例えばコピー枚数等）が表示される。なお、省電力状態の間にも機能実行指示が多機能機１０に入力される可能性がある。例えば、ＰＣ７０からの印刷指示が省電力状態の多機能機１０に入力される可能性がある。この場合も、機能実行状態に移行する。
【００４１】
多機能機１０において実行されている機能が終了すると、待機状態に移行する（ただし省電力状態に移行してもよい）。また、待機状態の間に所定時間に亘ってイベント（表示パネル５０やキーパッド５２の操作、ＰＣ７０からの印刷指示等）が発生しない場合、省電力状態に移行する。
【００４２】
ＣＰＵ１４は、省電力状態又は機能実行状態から待機状態に移行するまで待機する（Ｓ７０）。待機状態に移行するとＳ７２に進む。Ｓ７２では、ＣＰＵ１４は、ＮＶＲＡＭ４０のＵＲＬ記憶領域４４（図２参照）に記憶されているＵＲＬ数（サイト数）を取得する（Ｓ７２）。この処理は、図５のＳ４２の処理と同様である。本実施例では、ＣＰＵ１４は、Ｓ７２において「ｎ」を取得する。次いで、ＣＰＵ１４は、カウンタｉを初期化する（Ｓ７４）。ＣＰＵ１４は、カウンタｉがｎより小さいのか否かを判断する（Ｓ７６）。ここでＹＥＳの場合、Ｓ７８に進む。
【００４３】
Ｓ７８では、ＣＰＵ１４は、ＲＡＭ３０の表示情報記憶領域３６からｉ番目のサイトの表示情報に含まれるサイト情報を取得する。例えば、ゼロ番目のサイトの場合、図４の例では、サイト情報１２０（サイトタイトル文字列１２２とフィード更新日時情報１２４）が取得される。次いで、ＣＰＵ１４は、ｉ番目のサイトのコンテンツ数を特定する（Ｓ８０）。例えば、ゼロ番目のサイトの場合、図４の例では、ｍ個のコンテンツが存在する。この場合、ＣＰＵ１４は、Ｓ８０において「ｍ」を特定する。次いで、ＣＰＵ１４は、カウンタｊを初期化する（Ｓ８２）。ＣＰＵ１４は、カウンタｊがｍより小さいのか否かを判断する（Ｓ８４）。ここでＹＥＳの場合、Ｓ８８に進む。
【００４４】
Ｓ８８では、ＣＰＵ１４は、ＲＡＭ３０の表示情報記憶領域３６からｉ番目のサイトのｊ番目の更新コンテンツ情報を取得する。これにより、１つのコンテンツのコンテンツタイトル文字列１４０とコンテンツ更新日時情報１４２とコンテンツ要約文字列１４４とコンテンツＵＲＬ１４６が取得される。次いで、ＣＰＵ１４は、Ｓ７８で取得されたサイトタイトル文字列１２２と、Ｓ８８で取得されたコンテンツタイトル文字列１４０と、Ｓ８８で取得されたコンテンツ更新日時情報１４２を表示パネル５０に送信する（Ｓ９０）。この結果、図１２の最も上の図に示されるように、コンテンツタイトル文字列１６２が表示パネル５０で表示される。なお、コンテンツタイトル文字列１６２は、移動していく（例えば右から左に移動していく）。即ち、コンテンツタイトル文字列１６２は、テロップ状に表示される。なお、サイトタイトル文字列１２２やコンテンツ更新日時情報１４２は、表示パネル５０で表示されてもよいし、表示されなくてもよい。Ｓ９０を終えると、図７のＳ１００に進む。
【００４５】
Ｓ１００では、ＣＰＵ１４は、イベントが発生するまで待機する。イベントが発生するとＳ１０２に進む。Ｓ１０２では、ＣＰＵ１４は、コンテンツタイトル文字列１６２のテロップ表示が終了したイベントが発生したのか否かを判断する。ここでＹＥＳの場合、ＣＰＵ１４は、カウンタｊに１を加算し（Ｓ１０４）、図６のＳ８４に進む。このＳ８４でカウンタｊがｍより小さいと判断されると、ＣＰＵ１４は、Ｓ８８，Ｓ９０を再び実行する。これにより、次の更新コンテンツ情報（例えば１番目の更新コンテンツ情報）に基づいて、コンテンツタイトル文字列１６２がテロップ表示される。１つのサイトの全ての更新コンテンツ情報に基づいてコンテンツタイトル文字列１６２がテロップ表示されると、Ｓ８４でＮＯと判断される。この場合、ＣＰＵ１４は、カウンタｉに１を加算し（Ｓ８６）、次のサイト（例えば１番目のサイト）についてＳ７８〜Ｓ９０の処理を実行する。これにより、次のサイトの更新コンテンツ情報に基づいてコンテンツタイトル文字列１６２がテロップ表示される。
【００４６】
図７のＳ１０２でＮＯの場合、ＣＰＵ１４は、リスト表示要求イベントが発生したのか否かを判断する（Ｓ１０６）。図１２の最も上の図のようにコンテンツタイトル文字列１６２がテロップ表示されている状態において、ユーザは、コンテンツタイトル文字列１６２をタッチすることができる。ユーザがタッチした場合、ＣＰＵ１４は、Ｓ１０６でＹＥＳと判断する。Ｓ１０６でＹＥＳの場合、ＣＰＵ１４は、リスト表示処理を実行する（Ｓ１０８）。リスト表示処理の内容については、後で詳しく説明する。
【００４７】
Ｓ１０６でＮＯの場合、ＣＰＵ１４は、機能実行操作が発生したのか否かを判断する（Ｓ１１０）。図１２の最も上の図に示されるいずれかのボタン１６０をユーザは操作することができる。この場合、ＣＰＵ１４は、Ｓ１１０でＹＥＳと判断する。ＣＰＵ１０４は、操作されたボタン１６０に対応する処理（例えばＦＡＸ送信処理、スキャン処理、コピー処理等）を実行する。この場合、多機能機１０が機能実行状態に移行し、表示パネル５０では実行中の機能に関する情報が表示される。ＣＰＵ１４は、図６のＳ７０に戻って、待機状態に移行するまで待機する。一方において、Ｓ１１０でＮＯの場合、ＣＰＵ１４は、イベントに応じた処理を実行し、Ｓ１００に戻って、イベントが発生するまで待機する。
【００４８】
（リスト表示処理）
続いて、図７のＳ１０８で実行されるリスト表示処理について説明する。図８は、リスト表示処理のフローチャートを示す。ＣＰＵ１４は、ＲＡＭ３０の表示情報記憶領域３６からｉ番目のサイト（コンテンツタイトル文字列１６２が表示されているサイト）の全ての更新コンテンツ情報１３２を取得する（Ｓ１２０）。例えば、ゼロ番目のサイトの場合、図４の例では、ｍ個の更新コンテンツ情報１３２が存在する。この場合、Ｓ１２０においてｍ個の更新コンテンツ情報１３２が取得される。次いで、ＣＰＵ１４は、Ｓ７８で取得されたサイトタイトル文字列１２２と、Ｓ１２０で取得された各コンテンツタイトル文字列１４０と、Ｓ１２０で取得された各コンテンツ更新日時情報１４２とを含むリストデータを作成する（Ｓ１２２）。ＣＰＵ１４は、Ｓ１２２で作成されたリストデータを表示パネル５０に送信する（Ｓ１２４）。この結果、図１２の上から２番目の図に示されるように、リスト１７０が表示パネル５０で表示される。リスト１７０は、複数のコンテンツ（例えばｍ個のコンテンツ）のそれぞれについて、当該コンテンツのコンテンツ更新日時情報と当該コンテンツのコンテンツタイトル文字列とを含んでいる。図１２の上から２番目の図の例では、スポーツに関するコンテンツについて、コンテンツ更新日時情報「１４：３２」とコンテンツタイトル文字列「Ｓｐｏｒｔ・・・」とが表示されている。また、この例では、サイトタイトル文字列１７２も表示されている。Ｓ１２４を終えると、Ｓ１２６に進む。
【００４９】
Ｓ１２６では、ＣＰＵ１４は、イベントが発生するまで待機する。イベントが発生するとＳ１２８に進む。Ｓ１２８では、ＣＰＵ１４は、コンテンツ選択操作に関するイベントが発生したのか否かを判断する。図１２の上から２番目の図のようにリスト１７０が表示されている状態において、ユーザは、１つのコンテンツ（コンテンツタイトル文字列）をタッチすることができる。ユーザがタッチした場合、ＣＰＵ１４は、Ｓ１２８でＹＥＳと判断する。Ｓ１２８でＹＥＳの場合、ＣＰＵ１４は、コンテンツ表示処理を実行する（Ｓ１３０）。コンテンツ表示処理の内容については、後で詳しく説明する。
【００５０】
Ｓ１２８でＮＯの場合、ＣＰＵ１４は、リスト表示を終了する指示が入力されたのか否かを判断する（Ｓ１３２）。図１２の上から２番目の図のようにリスト１７０が表示されている状態において、ユーザは、ボタン１７４をタッチすることができる。この場合、ＣＰＵ１４は、Ｓ１３２でＹＥＳと判断する。Ｓ１３２でＹＥＳの場合、ＣＰＵ１４は、リスト表示処理を終了し、図６のＳ８４に戻る。一方において、Ｓ１３２でＮＯの場合、ＣＰＵ１４は、イベントに応じた処理を実行し、Ｓ１２６に戻って、イベントが発生するまで待機する。
【００５１】
（コンテンツ表示処理）
続いて、図８のＳ１３０で実行されるコンテンツ表示処理について説明する。図９は、コンテンツ表示処理のフローチャートを示す。ＣＰＵ１４は、ＲＡＭ３０の表示情報記憶領域３６からｉ番目のサイトのＳ１２８で選択されたコンテンツに関する表示データを作成する（Ｓ１５０）。この表示データは、サイトタイトル文字列１２２と、当該コンテンツのコンテンツタイトル文字列１４０と、当該コンテンツのコンテンツ更新日時情報１４２と、当該コンテンツのコンテンツ要約文字列１４４とを含んでいる。次いで、ＣＰＵ１４は、Ｓ１５０で作成された表示データを表示パネル５０に送信する（Ｓ１５２）。この結果、図１２の最も下の図に示される画面が表示パネル５０に表示される。この画面は、サイトタイトル文字列１７２と、コンテンツ更新日時情報１８０と、コンテンツタイトル文字列１８２と、コンテンツ要約文字列１８４とを含んでいる。この画面は、さらに、Ｖｉｅｗボタン１８６とＤｅｌｅｔｅボタン１９０とＬｉｓｔＣｌｅａｒボタン１９２とを含んでいる。
【００５２】
次いで、ＣＰＵ１４は、イベントが発生するまで待機する（Ｓ１５４）。イベントが発生するとＳ１５６に進む。Ｓ１５６では、ＣＰＵ１４は、Ｖｉｅｗボタン１８６が操作されたのか否かを判断する。ここでＮＯの場合、図１１のＳ２００に進む。一方において、Ｓ１５６でＹＥＳの場合、ＣＰＵ１４は、ＰＣ７０からのリクエストを保留しているのか否かを判断する（Ｓ１５８）。後述の図１０のＳ１８４、又は、図１１のＳ２１２において、ＰＣ７０からのリクエストが保留される。Ｓ１５８では、ＣＰＵ１４は、図１０のＳ１８４、又は、図１１のＳ２１２においてリクエストが保留され、その後に当該リクエストに対するレスポンスが送信されていない状態であるのか否かを判断する。
【００５３】
Ｓ１５８でＮＯの場合、ＣＰＵ１４は、通信準備指示をＰＣ７０に送信する（Ｓ１６０）。後で詳しく述べるが、ＰＣ７０は、通信準備指示が受信されると、ブラウザ７６ａを起動する。起動されたブラウザ７６ａは、リクエストを多機能機１０に送信する。ＣＰＵ１４は、このリクエストが受信されることを監視する（Ｓ１６２）。ここでＹＥＳの場合、ＣＰＵ１４は、Ｓ１６４を実行する。なお、Ｓ１５８でＹＥＳの場合、ＣＰＵ１４は、Ｓ１６０及びＳ１６２をスキップして、Ｓ１６４を実行する。
【００５４】
Ｓ１６４では、ＣＰＵ１４は、図８のＳ１２８で選択されたコンテンツのコンテンツタイトル文字列１４０とコンテンツＵＲＬ１４６を表示情報記憶領域３６から特定する。次いで、ＣＰＵ１４は、ＰＣ７０からのリクエストに対するレスポンスとして、コンテンツ追加指示をＰＣ７０に送信する（Ｓ１６６）。このコンテンツ追加指示は、Ｓ１６４で特定されたコンテンツタイトル文字列１４０とコンテンツＵＲＬ１４６を含んでいる。なお、Ｓ１５８でＹＥＳの場合に実行されるＳ１６６の処理では、保留されているリクエストに対するレスポンスとしてコンテンツ追加指示が送信される。一方において、Ｓ１５８でＮＯの場合に実行されるＳ１６６の処理では、Ｓ１６２で受信されたリクエストに対するレスポンスとしてコンテンツ追加指示が送信される。Ｓ１６６を終えると、図１０のＳ１８０に進む。
【００５５】
Ｓ１８０では、ＣＰＵ１４は、図９のＳ１６６で送信されたコンテンツ追加指示について通信エラーが発生したのか否かを判断する。後で詳しく述べるが、ＰＣ７０のブラウザ７６ａは、コンテンツ追加指示が受信されると、リクエストを多機能機１０に再送信する。コンテンツ追加指示が受信された際にブラウザ７６ａが起動していない場合、ブラウザ７６ａは、リクエストを多機能機１０に再送信することができない。ＣＰＵ１４は、図９のＳ１６６でコンテンツ追加指示が送信されてから所定時間以内にリクエストを受信しない場合に、Ｓ１８０でＹＥＳと判断する。この場合、図９のＳ１６０に戻る。この結果、ＣＰＵ１４は、通信準備指示を送信し（Ｓ１６０）、リクエストを受信し（Ｓ１６２）、コンテンツ追加指示を再送信する（Ｓ１６６）。
【００５６】
コンテンツ追加指示が送信されてから上記の所定時間が経過するまでの間は、ＣＰＵ１４は、リクエストを受信することを監視する（Ｓ１８２）。ここでＹＥＳの場合、ＣＰＵ１４は、リクエストを保留する（Ｓ１８４）。具体的に言うと、ＰＣ７０がタイムアウトしないように（即ちリクエストに対するレスポンスを監視することをＰＣ７０が止めないように）、ＣＰＵ１４は、リクエストの処理中を示す信号（例えばＡＣＫ信号）をＰＣ７０に定期的に送信する。Ｓ１８４によってリクエストの保留が開始されると、コンテンツ表示処理が終了する。
【００５７】
図９のＳ１５６でＮＯの場合、ＣＰＵ１４は、図１１のＳ２００を実行する。Ｓ２００では、ＣＰＵ１４は、Ｄｅｌｅｔｅボタン１９０又はＬｉｓｔＣｌｅａｒボタン１９２（図１２参照）が操作されたのか否かを判断する。ここでＮＯの場合、Ｓ２１４に進む。Ｓ２１４では、ＣＰＵ１４は、終了ボタン１７４（図１２参照）が操作されたのか否かを判断する。ここでＹＥＳの場合、コンテンツ表示処理が終了する。
【００５８】
Ｓ２００でＹＥＳの場合、ＣＰＵ１４は、ＰＣ７０からのリクエストを保留しているのか否かを判断する（Ｓ２０２）。ここでＮＯの場合、ＣＰＵ１４は、Ｄｅｌｅｔｅボタン１９０又はＬｉｓｔＣｌｅａｒボタン１９２（図１２参照）の操作に起因する処理を実行せず、図９のＳ１５４に戻って次のイベントが発生するまで待機する。一方において、Ｓ２０２でＹＥＳの場合、ＣＰＵ１４は、図８のＳ１２８で選択されたコンテンツのコンテンツタイトル文字列１４０とコンテンツＵＲＬ１４６を表示情報記憶領域３６から特定する（Ｓ２０４）。この処理は、図９のＳ１６４と同様である。次いで、ＣＰＵ１４は、ＰＣ７０からのリクエストに対するレスポンスとして、コンテンツ削除指示又はリストクリア指示をＰＣ７０に送信する（Ｓ２０６）。Ｄｅｌｅｔｅボタン１９０（図１２参照）が操作された結果として実行されるＳ２０６の処理では、コンテンツ削除指示が送信される。このコンテンツ削除指示は、Ｓ２０４で特定されたコンテンツタイトル文字列１４０とコンテンツＵＲＬ１４６を含んでいる。また、ＬｉｓｔＣｌｅａｒボタン１９２（図１２参照）が操作された結果として実行されるＳ２０６の処理では、リストクリア指示が送信される。このリストクリア指示は、Ｓ２０４で特定された情報を含んでいない。従って、ＬｉｓｔＣｌｅａｒボタン１９２（図１２参照）が操作された場合には、Ｓ２０４の処理をスキップしてもよい。
【００５９】
続いて、ＣＰＵ１４は、Ｓ２０６で送信されたコンテンツ削除指示又はリストクリア指示について通信エラーが発生したのか否かを判断する（Ｓ２０８）。図１０のＳ１８０とＳ１８２の場合と同様に、ＣＰＵ１４は、Ｓ２０６でコンテンツ削除指示又はリストクリア指示が送信されてから所定時間以内にリクエストを受信しない場合に、Ｓ２０８でＹＥＳと判断する。この場合、コンテンツ表示処理が終了する。図１０のＳ１８０でＹＥＳの場合（コンテンツ追加指示について通信エラーが発生した場合）は、図９のＳ１６０に戻って通信準備指示が送信されたが、コンテンツ削除指示又はリストクリア指示について通信エラーが発生しても通信準備指示が送信されない。ＰＣ７０において既にブラウザ７６ａが終了しており、削除又はクリアの対象が表示されていないからである。
【００６０】
コンテンツ削除指示又はリストクリア指示が送信されてから上記の所定時間が経過するまでの間は、ＣＰＵ１４は、リクエストを受信することを監視する（Ｓ２１０）。ここでＹＥＳの場合、ＣＰＵ１４は、リクエストを保留する（Ｓ２１２）。この処理は、図１０のＳ１８４と同様である。Ｓ２１２が終了すると、コンテンツ表示処理が終了する。
【００６１】
（ＰＣのブラウザ起動ソフト処理）
続いて、ＰＣ７０が実行する処理について説明する。まず、ＰＣ７０のＣＰＵ７２がブラウザ起動ソフト７８に従って実行する処理（以下ではブラウザ起動ソフト処理と呼ぶ）について説明する。図１３は、ブラウザ起動ソフト処理のフローチャートを示す。
【００６２】
ＣＰＵ７２は、多機能機１０からの通信準備指示が受信されることを監視している（Ｓ２３０）。通信準備指示は、図９のＳ１６０において多機能機１０から送信される。Ｓ２３０でＹＥＳの場合、ＣＰＵ７２は、ブラウザ７６ａを起動する（Ｓ２３２）。次いで、ＣＰＵ７２は、多機能機１０のＵＲＩ（即ち通信準備指示の送信元のＵＲＩ）をブラウザ７６ａに通知する（Ｓ２３４）。
【００６３】
（ＰＣのブラウザ処理）
続いて、ＣＰＵ７２が図１３のＳ２３２で起動されたブラウザ７６ａに従って実行する処理（以下ではブラウザ処理と呼ぶ）について説明する。ブラウザ処理は、記憶領域８０に記憶されているＪａｖａＳｃｒｉｐｔ命令８６に従って実行される。なお、ブラウザ起動ソフト７８によって起動されたブラウザ７６ａのみがＪａｖａＳｃｒｉｐｔ命令８６に従ってブラウザ処理を実行する。即ち、ユーザが操作部８４（図１参照）に所定の操作を加えることによって起動されたブラウザ７６ａ（ブラウザ起動ソフト７８によって起動されたブラウザ７６ａではなく、基本プログラム７６によって起動されたブラウザ７６ａ）は、ＪａｖａＳｃｒｉｐｔ命令８６を実行しない。図１４は、ブラウザ処理のフローチャートを示す。
【００６４】
ＣＰＵ７２は、ウィンドウを表示する（Ｓ２５０）。この処理は、ＪａｖａＳｃｒｉｐｔ命令８６の命令８６ｅに従って実行される。図１６は、ウィンドウ２００の一例を示す。ウィンドウ２００は、リスト表示領域２０２とコンテンツ表示領域２０６を含んでいる。リスト表示領域２０２は、複数のコンテンツタイトル２０４のリストを表示するための領域である。なお、図１６では図示省略しているが、リスト表示領域２０２では、コンテンツタイトル２０４のみならず、コンテンツタイトルに対応するコンテンツＵＲＬも表示される。コンテンツ表示領域２０６は、リスト表示領域２０２で選択されたコンテンツタイトルに対応するコンテンツを表示するための領域である。なお、Ｓ２５０でウィンドウ２００が表示された時点では、リスト表示領域２０２にコンテンツタイトル２０４が表示されないとともに、コンテンツ表示領域２０６にコンテンツが表示されない。
【００６５】
ＣＰＵ７２は、多機能機１０のＵＲＩを取得することができる（Ｓ２５２）。多機能機１０のＵＲＩは、図１３のＳ２３４でブラウザ起動ソフト７８から通知（送信）される。これにより、ブラウザ７６ａは、次のＳ２５４に送信されるリクエストの送信先を知ることができる。次いで、ＣＰＵ７２は、リクエストを多機能機１０に送信する（Ｓ２５４）。この処理は、ＪａｖａＳｃｒｉｐｔ命令８６の起動時リクエスト送信命令８６ａに従って実行される。次いで、ＣＰＵ７２は、多機能機１０からのレスポンスが受信されることを監視する（Ｓ２５６）。
【００６６】
Ｓ２５６でＹＥＳの場合、ＣＰＵ７２は、コンテンツ追加指示が受信されたのか否かを判断する（Ｓ２５８）。コンテンツ追加指示は、図９のＳ１６６で多機能機１０から送信される。Ｓ２５８でＹＥＳの場合、ＣＰＵ７２は、コンテンツ追加指示に含まれるコンテンツタイトルとコンテンツＵＲＬがリスト表示領域２０２に表示されているのか否かを判断する（Ｓ２６０）。ここでＮＯの場合、ＣＰＵ７２は、コンテンツ追加指示に含まれるコンテンツタイトルとコンテンツＵＲＬをリスト表示領域２０２に追加して表示する（Ｓ２６２）。この処理は、ＪａｖａＳｃｒｉｐｔ命令８６のリスト表示命令８６ｃに従って実行される。Ｓ２６２を終えた場合、又は、Ｓ２６０でＹＥＳの場合、ＣＰＵ７２は、Ｓ２５４に戻って、リクエストを多機能機１０に再送信する。この処理は、ＪａｖａＳｃｒｉｐｔ命令８６のリクエスト再送信命令８６ｂに従って実行される。
【００６７】
Ｓ２５８でＮＯの場合、ＣＰＵ７２は、コンテンツ削除指示が受信されたのか否かを判断する（Ｓ２６４）。コンテンツ削除指示は、図１１のＳ２０６で多機能機１０から送信される。Ｓ２６４でＹＥＳの場合、ＣＰＵ７２は、コンテンツ削除指示に含まれるコンテンツタイトルとコンテンツＵＲＬがリスト表示領域２０２に表示されているのか否かを判断する（Ｓ２６６）。ここでＹＥＳの場合、ＣＰＵ７２は、コンテンツ削除指示に含まれるコンテンツタイトルとコンテンツＵＲＬをリスト表示領域２０２から削除する（Ｓ２６８）。この処理は、ＪａｖａＳｃｒｉｐｔ命令８６の命令８６ｅに従って実行される。Ｓ２６８を終えた場合、又は、Ｓ２６６でＮＯの場合、ＣＰＵ７２は、Ｓ２５４に戻って、リクエストを多機能機１０に再送信する。この処理は、ＪａｖａＳｃｒｉｐｔ命令８６のリクエスト再送信命令８６ｂに従って実行される。
【００６８】
本実施例では、ＰＣ７０からのリクエストに対して、多機能機１０は、コンテンツ追加指示、コンテンツ削除指示、及び、リストクリア指示のいずれかのレスポンスを送信する。従って、Ｓ２６４でＮＯの場合、リストクリア指示が受信されたことになる。リストクリア指示は、図１１のＳ２０６で多機能機１０から送信される。リストクリア指示が受信された場合、ＣＰＵ７２は、リスト表示領域２０２に表示されている全てのリスト（全てのコンテンツタイトル）２０４をリスト表示領域２０２から削除する（Ｓ２７０）。この処理は、ＪａｖａＳｃｒｉｐｔ命令８６の命令８６ｅに従って実行される。Ｓ２７０を終えた場合、ＣＰＵ７２は、Ｓ２５４に戻って、リクエストを多機能機１０に再送信する。この処理は、ＪａｖａＳｃｒｉｐｔ命令８６のリクエスト再送信命令８６ｂに従って実行される。
【００６９】
一方において、Ｓ２５６でＮＯの場合、図１５のＳ２９０に進む。Ｓ２９０では、ＣＰＵ７２は、リスト表示領域２０２から１つのコンテンツタイトル２０４が選択されたのか否かを判断する（Ｓ２９０）。ユーザは、ＰＣ７０の操作部８４を操作することによって、リスト２０４の中から１つのコンテンツタイトルを選択（例えばクリック）することができる。この場合、ＣＰＵ７２は、Ｓ２９０でＹＥＳと判断し、ユーザによって選択されたコンテンツタイトルとセットにされているコンテンツＵＲＬにアクセスし、そのコンテンツＵＲＬからコンテンツをダウンロードする（Ｓ２９２）。次いで、ＣＰＵ７２は、Ｓ２９２でダウンロードされたコンテンツをコンテンツ表示領域２０６に表示する（Ｓ２９４）。なお、Ｓ２９０〜Ｓ２９４の処理は、ＪａｖａＳｃｒｉｐｔ命令８６のコンテンツ表示命令８６ｄに従って実行される。
【００７０】
本実施例の多機能機システム２の構成について詳しく説明した。多機能機システム２がどのように作用するのかについて、図１７及び図１８を利用して説明する。図１７及び図１８は、多機能機１０とＰＣ７０（ブラウザ７６ａ及びブラウザ起動ソフト７８）が実行する処理のシーケンス図を示す。
【００７１】
多機能機１０においてＶｉｅｗボタン１８６（図１２参照）が操作されると（Ｘ１）、多機能機１０は、ＰＣ７０からのリクエストを保留しているのか否かを判断する（Ｘ２）。Ｘ２は、図９のＳ１５８に対応する。多機能機１０は、リクエストを保留していない場合、通信準備指示をＰＣ７０に送信する（Ｘ３）。Ｘ３は、図９のＳ１６０に対応する。ＰＣ７０のブラウザ起動ソフト７８は、通信準備指示が受信されると、ブラウザ７６ａを起動し、ブラウザ７６ａに多機能機１０のＵＲＩを通知する（Ｘ４）。Ｘ４は、図１３のＳ２３２及びＳ２３４に対応する。
【００７２】
ＰＣ７０のブラウザ７６ａは、リクエストを多機能機１０に送信する（Ｘ５）。Ｘ５は、図１４のＳ２５４に対応する。多機能機１０は、リクエストが受信されると、ユーザによって選択されたコンテンツタイトルとコンテンツＵＲＬを含むコンテンツ追加指示をＰＣ７０に送信する（Ｘ６）。Ｘ６は、図９のＳ１６６に対応する。ＰＣ７０のブラウザ７６ａは、コンテンツ追加指示が受信されると、そのコンテンツ追加指示に含まれるコンテンツタイトルとコンテンツＵＲＬをリスト表示領域２０２に追加して表示する（Ｘ７）。Ｘ７は、図１４のＳ２６２に対応する。次いで、ＰＣ７０のブラウザ７６ａは、リクエストを多機能機１０に送信する（Ｘ８）。Ｘ８は、図１４のＳ２５４に対応する。
【００７３】
多機能機１０は、リクエストが受信されると、リクエストを保留する（Ｘ９）。Ｘ９は、図１０のＳ１８４に対応する。多機能機１０においてＶｉｅｗボタン１８６（図１２参照）が操作されると（Ｘ１０）、多機能機１０は、ＰＣ７０からのリクエストを保留しているのか否かを判断する（Ｘ１１）。Ｘ１１は、図９のＳ１５８に対応する。多機能機１０は、リクエストを保留している場合、コンテンツ追加指示をＰＣ７０に送信する（Ｘ１２）。Ｘ１２は、図９のＳ１６６に対応する。なお、Ｘ１３〜Ｘ１５は、上記のＸ７〜Ｘ９と同様である。
【００７４】
ＰＣ７０のリスト表示領域２０２からコンテンツタイトルとコンテンツＵＲＬが選択されると（Ｘ１６）、ＰＣ７０のブラウザ７６ａは、ユーザによって選択されたコンテンツＵＲＬからコンテンツをダウンロードし、そのコンテンツをコンテンツ表示領域２０６に表示する（Ｘ１７）。Ｘ１７は、図１４のＳ２９２及び２９４に対応する。
【００７５】
図１８は、図１７の続きのシーケンス図である。ＰＣ７０で開かれているウィンドウ２００を閉じるための操作がユーザによって実行されると（Ｘ１８）、ブラウザ７６ａが終了し、ブラウザ７６ａが起動していない状態になる（Ｘ１９）。多機能機１０においてＶｉｅｗボタン１８６（図１２参照）が操作されると（Ｘ２０）、多機能機１０は、ＰＣ７０からのリクエストを保留しているのか否かを判断する（Ｘ２１）。Ｘ２１は、図９のＳ１５８に対応する。多機能機１０は、リクエストを保留している場合、コンテンツ追加指示をＰＣ７０に送信する（Ｘ２２）。Ｘ２２は、図９のＳ１６６に対応する。ブラウザ７６ａが終了しているために、多機能機１０では、コンテンツ追加指示についてエラーが発生する（Ｘ２３）。Ｘ２３は、図１０のＳ１８０に対応する。この場合、多機能機１０は、通信準備指示をＰＣ７０に送信する（Ｘ２４）。Ｘ２４は、図１０のＳ１８０でＹＥＳの場合に実行される図９のＳ１６０に対応する。なお、Ｘ２５〜Ｘ３０は、上記のＸ４〜Ｘ９と同様である。
【００７６】
多機能機１０の表示パネル５０が小さいために、コンテンツの全体を表示するのは難しい。多機能機１０は、ユーザによって選択されたコンテンツのコンテンツＵＲＬをＰＣ７０に送信する（Ｘ６又はＸ１２）。これにより、ＰＣ７０は、ブラウザ７６ａを起動する（Ｘ４）。ブラウザ７６ａによってコンテンツを表示することができる（Ｘ１７）。多機能機１０の表示パネル５０よりもＰＣ７０の表示部８２の方が大きい。ユーザは、大きい表示部８２においてコンテンツの全体を見ることができる。
【００７７】
また、ＰＣ７０においてコンテンツを表示することができるために、多機能機１０でコンテンツを表示する必要がない。このために、多機能機１０にブラウザプログラムを搭載する必要がない。また、本実施例では、多機能機１０からＰＣ７０にコンテンツのＵＲＬを送信し、ＰＣ７０がコンテンツをダウンロードする。多機能機１０がコンテンツをダウンロードし、ダウンロードされたコンテンツをＰＣ７０に送信する構成と比べて、多機能機１０やネットワークの負荷を軽減させることができる。
【００７８】
また、ＰＣ７０は、通信準備指示が受信された場合にブラウザ７６ａを起動するが、コンテンツ追加指示（Ｘ６及びＸ１２）が受信されてもブラウザ７６ａを起動しない。ＰＣ７０においてコンテンツＵＲＬが受信される毎にブラウザ７６ａが起動されることがなく、多機能機１０からの複数の指示に従って複数のウィンドウが同時に開かれることがない。ユーザが情報を見やすい。
【００７９】
（第２実施例）
続いて、第２実施例について説明する。第１実施例では、ＪａｖａＳｃｒｉｐｔ命令８６は、コンピュータ読取可能媒体からＰＣ７０にインストールされる。もしくは、ＪａｖａＳｃｒｉｐｔ命令８６は、インターネット８のサイトからダウンロードされてＰＣ７０にインストールされる。これに対し、本実施例では、多機能機１０は、図２のプログラム２６に示されるように、ＪａｖａＳｃｒｉｐｔ命令８６を記憶している。多機能機１０は、図９のＳ１６０において通信準備指示をＰＣ７０に送信する際に、ＪａｖａＳｃｒｉｐｔ命令８６をＰＣ７０に送信する。これにより、ＰＣ７０は、ＪａｖａＳｃｒｉｐｔ命令８６を記憶領域８０（図１参照）に記憶する。このような形態によっても、ブラウザ７６ａは、ＪａｖａＳｃｒｉｐｔ命令８６に従って処理を実行することができる。
【００８０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００８１】
（１）上記の実施例では、各コンテンツ提供サーバ９０，９１は、コンテンツとフィード情報の両方を記憶している。しかしながら、コンテンツを記憶するためのサーバとフィード情報を記憶するためのサーバが別体に構成されていてもよい。
【００８２】
（２）上記の多機能機１０は、ブラウザプログラムを有していない。しかしながら、多機能機１０は、ブラウザプログラムを有していてもよい。多機能機１０は、コンテンツをダウンロードして表示パネル５０で表示してもよい。
【００８３】
（３）なお、ＰＣ７０は、多機能機１０から送信された通信準備指示に従ってブラウザ７６ａが起動されている間に、他の多機能機から送信された通信準備指示が受信された場合に、ブラウザ７６ａを起動してもよい。この場合、複数のウィンドウ２００が同時に開かれることになる。
【００８４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００８５】
【図１】多機能機システムの構成を示す。
【図２】多機能機の構成を示す。
【図３】ＵＲＬ記憶領域の記憶内容の一例を示す。
【図４】表示情報記憶領域の記憶内容の一例を示す。
【図５】多機能機が実行するフィード情報解析処理のフローチャートを示す。
【図６】多機能機が実行する表示処理のフローチャートを示す。
【図７】図６の続きのフローチャートを示す。
【図８】多機能機が実行するリスト表示処理のフローチャートを示す。
【図９】多機能機が実行するコンテンツ表示処理のフローチャートを示す。
【図１０】図１０の続きのフローチャートを示す。
【図１１】図１０の続きのフローチャートを示す。
【図１２】表示パネルの表示内容が変化する様子を示す。
【図１３】ＰＣが実行するブラウザ起動ソフト処理のフローチャートを示す。
【図１４】ＰＣが実行するブラウザ処理のフローチャートを示す。
【図１５】図１４の続きのフローチャートを示す。
【図１６】ＰＣで表示されるウィンドウの一例を示す。
【図１７】多機能機とＰＣによって実行される処理のシーケンス図を示す。
【図１８】図１７の続きのシーケンス図を示す。
【符号の説明】
【００８６】
２：多機能機システム、１０：多機能機、５０：表示パネル、７０：ＰＣ、７６ａ：ブラウザ、８６：ＪａｖａＳｃｒｉｐｔ命令、９０，９１：コンテンツ提供サーバ、１１２：表示情報、１２０：サイト情報、１２２：サイトタイトル文字列、１２４：フィード更新日時情報、１３２：更新コンテンツ情報、１４０：コンテンツタイトル文字列、１４２：コンテンツ更新日時情報、１４４：コンテンツ要約文字列、１４６：コンテンツＵＲＬ、１６２：コンテンツタイトル文字列、１７０：リスト、１７２：サイトタイトル文字列、１８０：コンテンツ更新日時情報、１８２：コンテンツタイトル文字列、１８４：コンテンツ要約文字列、１８６：Ｖｉｅｗボタン、１９０：Ｄｅｌｅｔｅボタン、１９２：ＬｉｓｔＣｌｅａｒボタン
【図１】
2010128783.tif 000003
【図２】
2010128783.tif 000004
【図３】
2010128783.tif 000005
【図４】
2010128783.tif 000006
【図５】
2010128783.tif 000007
【図６】
2010128783.tif 000008
【図７】
2010128783.tif 000009
【図８】
2010128783.tif 000010
【図９】
2010128783.tif 000011
【図１０】
2010128783.tif 000012
【図１１】
2010128783.tif 000013
【図１２】
2010128783.tif 000014
【図１３】
2010128783.tif 000015
【図１４】
2010128783.tif 000016
【図１５】
2010128783.tif 000017
【図１６】
2010128783.tif 000018
【図１７】
2010128783.tif 000019
【図１８】
2010128783.tif 000020